(57)【要約】【課題】２種類のキーワードを利用して効果的に広告情報を提供すること。【解決手段】ユーザ端末３００に対して提供されるコンテンツに関連付けられる表キーワードと、当該表キーワードに関連付けられる裏キーワードと、を登録することが可能な情報登録装置４２０と、裏キーワードに関連付けられる広告情報を登録することが可能な広告登録装置４４０と、ユーザ端末に対して広告情報を提供することが可能な情報提供装置４６０と、により構成される情報提供システムを提供する。特に、広告登録装置４４０は、オークション取引を利用して広告情報を選別する。また、情報提供装置４２０は、ユーザ端末３００の表示画面にキーワード選択用のキーワードボタンを表示する。【選択図】図１
2008123377.tif 000002
【特許請求の範囲】
【請求項１】
ユーザ端末に対して提供されるコンテンツ又はコンテンツ情報に関連付けられる表キーワードと、当該表キーワードに関連付けられる裏キーワードと、を登録することが可能な情報登録装置と、前記裏キーワードに関連付けられる広告情報を登録することが可能な広告登録装置と、前記表キーワードが選択された際に前記ユーザ端末に対して前記広告情報を提供することが可能な情報提供装置と、により構成される情報提供システムであって、
前記情報登録装置は、
前記コンテンツ又はコンテンツ情報に関連付ける前記表キーワードを登録する表キーワード登録部と、
前記表キーワードに関連付ける前記裏キーワードを登録する裏キーワード登録部と、
前記広告登録装置により登録された前記広告情報を取得し、前記裏キーワードに当該広告情報を関連付ける広告情報登録部と、
を備え、
前記広告登録装置は、
前記広告情報を提供するスポンサー端末から取得した前記裏キーワード毎の入札情報に基づいて、当該裏キーワードに関連付ける広告情報を選別する広告選別部と、
前記広告選別部により選別された前記広告情報を登録する広告登録部と、
を備え、
前記情報提供装置は、
前記表キーワードと共に当該表キーワードを選択するためのキーワードボタンを前記ユーザ端末に表示させる表示制御部と、
前記キーワードボタンにより選択された前記表キーワードを前記ユーザ端末から受信し、当該表キーワードに関連付けて登録された前記裏キーワードに応じて、前記広告選別部により選別された前記広告情報を前記ユーザ端末に提供する広告提供部と、
を備えることを特徴とする、情報提供システム。
【請求項２】
前記広告選別部は、
各前記裏キーワードに対して入札された複数の前記広告情報の中から前記裏キーワード毎に入札金額が大きい前記所定数の広告情報を選別することを特徴とする、請求項１に記載の情報提供システム。
【請求項３】
前記広告選別部は、
前記コンテンツを提供するコンテンツホルダと前記広告情報を提供するスポンサーとが予め決定した所定の条件に基づき、前記入札金額が大きい所定数の広告情報の中から、より少数の前記広告情報を選別することを特徴とする、請求項２に記載の情報提供システム。
【請求項４】
前記広告選別部は、
前記入札額が大きい所定数の広告情報の中から同種類の前記広告情報を抽出し、より入札額の大きい所定数の前記広告情報のみを選別することを特徴とする、請求項２に記載の情報提供システム。
【請求項５】
ユーザ端末に対して提供されるコンテンツ又はコンテンツ情報に関連付けられる表キーワードと当該表キーワードに関連付けられる裏キーワードとを利用して、前記裏キーワードに関連付けられる広告情報を前記ユーザ端末に提供することが可能な情報提供方法であって、
前記コンテンツ又はコンテンツ情報に関連付けられる前記表キーワードを登録する表キーワード登録ステップと、
前記表キーワードに関連付けられる前記裏キーワードを登録する裏キーワード登録ステップと、
前記広告情報を提供するスポンサー端末から取得した前記裏キーワード毎の入札情報に基づいて、当該裏キーワードに関連付ける広告情報を選別する広告選別ステップと、
前記広告選別ステップで選別された前記広告情報を登録する広告登録ステップと、
前記広告登録ステップで登録された前記広告情報を前記裏キーワードに関連付ける裏キーワード登録ステップと、
前記表キーワードと共に当該表キーワードを選択するためのキーワードボタンを前記ユーザ端末に表示させる表示制御ステップと、
前記キーワードボタンにより選択された前記表キーワードを前記ユーザ端末から受信し、当該表キーワードに関連付けて登録された前記裏キーワードに応じて、前記広告選別ステップで選別された前記広告情報を前記ユーザ端末に提供する広告提供ステップと、
を含むことを特徴とする、情報提供方法。
【請求項６】
ユーザ端末に対して提供されるコンテンツ又はコンテンツ情報に関連付けられる表キーワードと当該表キーワードに関連付けられる裏キーワードとを利用して、前記裏キーワードに関連付けられる広告情報を前記ユーザ端末に提供する機能をコンピュータに実現させるためのプログラムであって、
前記コンテンツ又はコンテンツ情報に関連付けられる前記表キーワードを登録する表キーワード登録機能と、
前記表キーワードに関連付けられる前記裏キーワードを登録する裏キーワード登録機能と、
前記広告情報を提供するスポンサー端末から取得した前記裏キーワード毎の入札情報に基づいて、当該裏キーワードに関連付ける広告情報を選別する広告選別機能と、
前記広告選別ステップで選別された前記広告情報を登録する広告登録機能と、
前記広告登録ステップで登録された前記広告情報を前記裏キーワードに関連付ける裏キーワード登録機能と、
前記表キーワードと共に当該表キーワードを選択するためのキーワードボタンを前記ユーザ端末に表示させる表示制御機能と、
前記キーワードボタンにより選択された前記表キーワードを前記ユーザ端末から受信し、当該表キーワードに関連付けて登録された前記裏キーワードに応じて、前記広告選別ステップで選別された前記広告情報を前記ユーザ端末に提供する広告提供機能と、
をコンピュータに実現させるためのプログラム。
【発明の詳細な説明】
【技術分野】
【０００１】
本発明は、コンテンツホルダが提供するコンテンツ又はコンテンツ情報に対し、スポンサーが提供する広告の情報を関連付けて、そのコンテンツを視聴するユーザに提供する技術に関する。
【背景技術】
【０００２】
一般に、映像、音楽、画像、又は文字情報等のコンテンツに対し、当該コンテンツに付加されたメタデータを検索対象としてコンテンツの実体及びコンテンツに関連した情報をキーワード検索する技術が知られている。また、コンテンツが配信される際に視聴者の視聴用端末又は表示装置等に広告情報を表示する技術も知られている。最近では、例えば、下記の特許文献１に開示されているように、コンテンツの提供者又は視聴者により設定された条件に基づいて広告情報をフィルタリングする技術も知られている。また、下記の特許文献２には、例えば、ユーザの興味に応じてネットワーク上の情報を収集する技術が開示されている。さらに、下記の特許文献３には、例えば、番組情報に付加される広告をネットオークションを通じて決定するための広告入札受付システムが開示されている。このシステムは、番組が提供される日時、番組のジャンル、番組に関するキーワード、又は番組表に基づいて広告入札が行われることを特徴としている。
【０００３】
【特許文献１】特開２００２−１８３５８５号公報
【特許文献２】特開２００４−６２４４６号公報
【特許文献３】特開２００６−２２２６２０号公報
【発明の開示】
【発明が解決しようとする課題】
【０００４】
しかし、上記の各特許文献に記載の技術及びこれに類する従来技術を組合せたとしても、コンテンツを提供するコンテンツホルダと広告情報を提供するスポンサーとの意図に沿った好適な広告情報を視聴者に提供することが困難であった。特に、視聴者がコンテンツに関連する情報を検索する際に指定する検索用のキーワードを利用して、視聴者の嗜好に近い広告情報を提供することが難しかった。
【０００５】
そこで、本発明は、上記問題に鑑みてなされたものであり、本発明の目的とするところは、視聴者がコンテンツに関連する情報を検索するための表キーワードと当該表キーワードに関連付けられた裏キーワードとを利用して視聴者に広告情報を提供することが可能な、新規かつ改良された情報提供システム、情報提供方法、及びプログラムを提供することにある。
【課題を解決するための手段】
【０００６】
上記課題を解決するために、本発明のある観点によれば、ユーザ端末に対して提供されるコンテンツに関連付けられる表キーワードと、当該表キーワードに関連付けられる裏キーワードと、を登録することが可能な情報登録装置と、裏キーワードに関連付けられる広告情報を登録することが可能な広告登録装置と、ユーザ端末に対して広告情報を提供することが可能な情報提供装置と、により構成される情報提供システムが提供される。そして、上記の情報提供システムに含まれる情報登録装置は、コンテンツに関連付ける表キーワードを登録する表キーワード登録部と、表キーワードに関連付ける裏キーワードを登録する裏キーワード登録部と、広告登録装置により登録された広告情報を取得し、裏キーワードに当該広告情報を関連付ける広告情報登録部と、を備える。また、上記の情報提供システムに含まれる広告登録装置は、広告情報を提供するスポンサー端末から取得した裏キーワード毎の入札情報に基づいて、当該裏キーワードに関連付ける広告情報を選別する広告選別部と、広告選別部により選別された広告情報を登録する広告登録部と、を備える。また、上記の情報提供システムに含まれる情報提供装置は、表キーワードと共に当該表キーワードを選択するためのキーワードボタンをユーザ端末に表示させる表示制御部と、キーワードボタンにより選択された表キーワードをユーザ端末から受信し、当該表キーワードに関連付けて登録された裏キーワードに応じて、広告選別部により選別された広告情報をユーザ端末に提供する広告提供部と、を備える。
【０００７】
上記の情報登録装置が備える表キーワード登録部は、コンテンツに関連付ける表キーワードを登録する。また、上記の裏キーワード登録部は、表キーワードに関連付ける裏キーワードを登録する。さらに、上記の広告情報登録部は、広告登録装置により登録された広告情報を取得し、裏キーワードに当該広告情報を関連付ける。また、上記の広告登録装置が備える広告選別部は、広告情報を提供するスポンサー端末から取得した裏キーワード毎の入札情報に基づいて、当該裏キーワードに関連付ける広告情報を選別する。また、上記の広告登録部は、広告選別部により選別された広告情報を登録する。また、上記の情報提供装置が備える表示制御部は、表キーワードと共に当該表キーワードを選択するためのキーワードボタンをユーザ端末に表示させる。さらに、上記の広告提供部は、キーワードボタンにより選択された表キーワードをユーザ端末から受信し、当該表キーワードに関連付けて登録された裏キーワードに応じて、広告選別部により選別された広告情報をユーザ端末に提供する。かかる構成により、コンテンツを提供するコンテンツホルダの意向に沿って、ユーザ端末に表示される広告情報を制御することが可能になると共に、広告情報を提供するスポンサーを全又は半自動的に選別することが可能になるため、コンテンツホルダ及びスポンサーの意図が反映された広告情報を提供することができる。
【０００８】
また、上記の広告登録装置が備える広告選別部は、各裏キーワードに対して入札された複数の広告情報の中から裏キーワード毎に入札金額が大きい所定数の広告情報を選別するように構成されてもよい。かかる構成により、登録されている各裏キーワードに対して自動的に広告情報を選別することが可能になる。
【０００９】
また、上記の広告登録装置が備える広告選別部は、コンテンツを提供するコンテンツホルダと広告情報を提供する広告主とが予め決定した所定の条件に基づき、入札金額が大きい所定数の広告情報の中からより少数の広告情報を選別するように構成されてもよい。かかる構成により、自動的に選別された広告情報の中から、所定のスポンサー又はコンテンツホルダにとって都合の悪い広告情報を排除することが可能になる。
【００１０】
また、上記の広告登録装置が備える広告選別部は、入札額が大きい所定数の広告情報の中から同種類の広告情報を抽出し、より入札額の大きい所定数の広告情報のみを選別するように構成されてもよい。かかる構成により、競合するスポンサーの広告情報をある程度自動的に排除することが可能になる。
【００１１】
また、上記課題を解決するために、本発明の別の観点によれば、ユーザ端末に対して提供されるコンテンツに関連付けられる表キーワードと当該表キーワードに関連付けられる裏キーワードとを利用して、裏キーワードに関連付けられる広告情報をユーザ端末に提供することが可能な情報提供方法が提供される。そして、上記の情報提供方法は、コンテンツに関連付けられる表キーワードを登録する表キーワード登録ステップと、表キーワードに関連付けられる裏キーワードを登録する裏キーワード登録ステップと、広告情報を提供するスポンサー端末から取得した裏キーワード毎の入札情報に基づいて、当該裏キーワードに関連付ける広告情報を選別する広告選別ステップと、広告選別ステップで選別された広告情報を登録する広告登録ステップと、広告登録ステップで登録された広告情報を裏キーワードに関連付ける裏キーワード登録ステップと、表キーワードと共に当該表キーワードを選択するためのキーワードボタンをユーザ端末に表示させる表示制御ステップと、キーワードボタンにより選択された表キーワードをユーザ端末から受信し、当該表キーワードに関連付けて登録された裏キーワードに応じて、広告選別ステップで選別された広告情報をユーザ端末に提供する広告提供ステップと、を含むことを特徴とする。
【００１２】
上記の表キーワード登録ステップでは、コンテンツに関連付けられる表キーワードが登録される。また、上記の裏キーワード登録ステップでは、表キーワードに関連付けられる裏キーワードが登録される。さらに、上記の広告選別ステップでは、広告情報を提供するスポンサー端末から取得した裏キーワード毎の入札情報に基づいて、当該裏キーワードに関連付ける広告情報が選別される。そして、上記の広告登録ステップでは、広告選別ステップで選別された広告情報が登録される。また、上記の裏キーワード登録ステップでは、広告登録ステップで登録された広告情報を裏キーワードに関連付ける。さらに、上記の表示制御ステップでは、表キーワードと共に当該表キーワードを選択するためのキーワードボタンをユーザ端末に表示させる。そして、上記の広告提供ステップでは、キーワードボタンにより選択された表キーワードをユーザ端末から受信し、当該表キーワードに関連付けて登録された裏キーワードに応じて、広告選別ステップで選別された広告情報をユーザ端末に提供する。かかる構成により、コンテンツを提供するコンテンツホルダの意向に沿って、ユーザ端末に表示される広告情報を制御することが可能になると共に、広告情報を提供するスポンサーを全又は半自動的に選別することが可能になるため、コンテンツホルダ及びスポンサーの意図が反映された広告情報を提供することができる。
【００１３】
また、上記課題を解決するために、本発明のさらに別の観点によれば、ユーザ端末に対して提供されるコンテンツに関連付けられる表キーワードと当該表キーワードに関連付けられる裏キーワードとを利用して、裏キーワードに関連付けられる広告情報をユーザ端末に提供する機能をコンピュータに実現させるためのプログラムが提供される。そして、上記のプログラムは、コンテンツに関連付けられる表キーワードを登録する表キーワード登録機能と、表キーワードに関連付けられる裏キーワードを登録する裏キーワード登録機能と、広告情報を提供するスポンサー端末から取得した裏キーワード毎の入札情報に基づいて、当該裏キーワードに関連付ける広告情報を選別する広告選別機能と、広告選別ステップで選別された広告情報を登録する広告登録機能と、広告登録ステップで登録された広告情報を裏キーワードに関連付ける裏キーワード登録機能と、表キーワードと共に当該表キーワードを選択するためのキーワードボタンをユーザ端末に表示させる表示制御機能と、キーワードボタンにより選択された表キーワードをユーザ端末から受信し、当該表キーワードに関連付けて登録された裏キーワードに応じて、広告選別ステップで選別された広告情報をユーザ端末に提供する広告提供機能と、をコンピュータに実現させるためのプログラムである。
【００１４】
上記のプログラムは、以下の各機能をコンピュータに実現させる。上記の表キーワード登録機能は、コンテンツに関連付けられる表キーワードを登録する。また、上記の裏キーワード登録機能は、表キーワードに関連付けられる裏キーワードを登録する。さらに、上記の広告選別機能は、広告情報を提供するスポンサー端末から取得した裏キーワード毎の入札情報に基づいて、当該裏キーワードに関連付ける広告情報を選別する。そして、上記の広告登録機能は、広告選別機能で選別された広告情報を登録する。また、上記の裏キーワード登録機能は、広告登録機能で登録された広告情報を裏キーワードに関連付ける。さらに、上記の表示制御機能は、表キーワードと共に当該表キーワードを選択するためのキーワードボタンをユーザ端末に表示させる。そして、上記の広告提供機能は、キーワードボタンにより選択された表キーワードをユーザ端末から受信し、当該表キーワードに関連付けて登録された裏キーワードに応じて、広告選別機能で選別された広告情報をユーザ端末に提供する。かかる構成により、コンテンツを提供するコンテンツホルダの意向に沿って、ユーザ端末に表示される広告情報を制御することが可能になると共に、広告情報を提供するスポンサーを全又は半自動的に選別することが可能になるため、コンテンツホルダ及びスポンサーの意図が反映された広告情報を提供することができる。
【発明の効果】
【００１５】
以上説明したように本発明によれば、視聴者がコンテンツに関連する情報を検索するための表キーワードと当該表キーワードに関連付けられた裏キーワードとを利用して効果的な広告情報を視聴者に提供することが可能になる。
【発明を実施するための最良の形態】
【００１６】
＜本発明の実施形態＞
まず、本発明の実施形態に係る情報提供システムについて詳細に説明する。まず、これに先立ち、本発明の特徴をより明確に理解する一助とすべく本実施形態の目的及び概要について簡単に説明する。
【００１７】
［本実施形態の目的及び概要］
本実施形態の目的は、コンテンツ情報に含まれるキーワードを利用して、ユーザ（視聴者）の嗜好に合致する広告情報を提供することにある。より詳細には、コンテンツ情報に含まれるキーワードとして、例えば、表キーワードと裏キーワードとを用意し、これら２種類のキーワードを関連付けて利用することによって、よりユーザの嗜好に近い広告情報を提示可能にする技術を提供することにある。
【００１８】
そこで、本実施形態に係る情報提供システムは、ユーザがコンテンツを視聴する際に提供されるコンテンツ情報サービスの中で、コンテンツ情報に含まれるキーワードに基づいてユーザの嗜好に合致するコンテンツ関連の広告情報を提示する仕組みを提供する。この仕組みを実現するために、まず、コンテンツ及びコンテンツ情報を提供するコンテンツホルダと広告を提供するスポンサーとは、例えば、以下の手順に従って、キーワードに関する契約を締結し、当該キーワードがユーザにより検索された際に、契約に則った広告情報の提示が行われるような仕組みを構築する。
【００１９】
（１）コンテンツホルダがコンテンツに関連するコンテンツ情報を制作する際に、表キーワードとその表キーワードに関連する広告用キーワード（裏キーワード）をそのコンテンツ情報に付与し、コンテンツ情報と広告用キーワードとをスポンサーに提示する。
（２）スポンサーが自己の広告情報に適合すると考えるコンテンツ情報及び広告用のキーワードを選択し、所望の広告用キーワードをオークション形式の取引により取得する。例えば、スポンサーは、コンテンツ情報と裏キーワードとを指定し、コンテンツ情報が検索された際に自己の広告情報がユーザ端末に提示される権利をオークション取引を介して購入する。
（３）上記（２）の契約に基づき、コンテンツホルダは、コンテンツをユーザに提供する際にスポンサーの広告データベースから広告情報を抽出してユーザに提示する。このとき、ユーザはコンテンツ情報に付加された表キーワードを検索対象として検索を行うが、コンテンツホルダは、その表キーワードに関連付けられた裏キーワードに基づいてスポンサーの広告情報を抽出する。つまり、上記の表キーワードは、ユーザの嗜好を反映した情報であるため、少なくともコンテンツホルダ及びスポンサーがユーザの嗜好に合致していると考える広告情報がユーザに提供されるのである。もちろん、スポンサーが意図したコンテンツに付帯される表キーワードが第１検索対象となっているため、ユーザとスポンサーとの両者の意図を反映した広告を提供することが可能になる。なお、ユーザの嗜好情報に基づいて複数のユーザをクラスタリングし、各クラスタに対して提示する広告情報を広告データベースから予め抽出しておくことも可能である。
【００２０】
（用語の整理）
ここで、説明の際に使用する用語の意味を整理しておく。まず、コンテンツ情報とは、コンテンツに関する情報のことを意味し、放送番組や映像ストリーム配信といったコンテンツの実体とは区別して扱う。このコンテンツ情報は、例えば、コンテンツのタイトル、サブタイトル、長さ、フォーマット、内容説明、シノプシス、又は出演者（キャスト）等を含んでおり、そのコンテンツに関する情報を管理するためのメタデータである。もちろん、コンテンツによっては、ここに挙げた例に留まらず、独自の項目を追加してコンテンツの管理に利用する場合もある。例えば、上記のキーワードは、コンテンツ情報の中に含まれるものと考えることもできる。しかし、以下では、本発明の特徴を明確にすべく、各キーワードとコンテンツ情報とを区別して扱うことにする。
【００２１】
さらに、以下の説明においては、上記の２種類のキーワードを明確に区別して用いる。その一つは、ユーザに提供される表キーワードである。もう一方は、表キーワードに関連付けられる裏キーワードであり、この裏キーワードはユーザに提供されないものである。また、裏キーワードは、コンテンツホルダにより情報提供システムの内部で管理される。なお、裏キーワードは、１つの表キーワードに対して複数設定することも可能である。
【００２２】
（課題の整理）
ここで、本実施形態に係る情報提供システムが解決しようとする課題について簡単に整理する。これまでの情報提供システムには、例えば、番組情報等のコンテンツに関連する情報をユーザが検索する際に自ら検索用のキーワードを入力しなければならないという課題がある。また、コンテンツに関連する情報に応じて、コンテンツホルダの意図に沿うような広告情報を提供することが難しいという課題がある。さらに、ユーザが入力した検索用キーワードにヒットさせる目的でコンテンツに付加したキーワードを利用し、スポンサーの意図に沿う効果的な広告情報を提供するのが困難であるという課題がある。そして、コンテンツホルダがコンテンツに付加したキーワードを提示してスポンサーを募集することが容易ではないという課題がある。その上、コンテンツに関連付ける広告情報を自動的に選択することが難しいという課題もある。
【００２３】
ここで、現在の情報提供技術について簡単に整理すると次のようになる。現在、放送番組、映画、又は音楽等の多種多様な映像情報や音声情報が製作され、所謂コンテンツと呼ばれて広く流通されている。例えば、流通形態の一例として地上波放送がある。この地上波放送の場合、番組映像が放送という形態により視聴者に配信され、視聴者は、例えば、家庭のテレビに接続されたアンテナを介して受信された映像を視聴することができる。このとき、視聴者は、新聞のラテ欄等に記載された番組情報に基づいて放送番組を選択して視聴する。つまり、この例では、番組情報がコンテンツ情報の一例であり、放送される番組映像がコンテンツの一例である。また、コンテンツの流通形態に係る他の例としては、デジタル放送、衛星放送、ＣＡＴＶ（Ｃａｂｌｅ  ｔｅｌｅｖｉｓｉｏｎ）、通信ＶＯＤ（Ｖｉｄｅｏ  Ｏｎ  Ｄｅｍａｎｄ）等のＩＰＴＶ（Ｉｎｔｅｒｎｅｔ  Ｐｒｏｔｏｃｏｌ  Ｔｅｌｅｖｉｓｉｏｎ）サービス、又はＤＶＤ（Ｄｉｇｉｔａｌ  Ｖｅｒｓａｔｉｌｅ  Ｄｉｓｃ）等のパッケージによる販売等が挙げられる。また、視聴者がこれらのコンテンツを視聴又は操作する端末としては、例えば、テレビ、ＰＣ（Ｐｅｒｓｏｎａｌ  Ｃｏｍｐｕｔｅｒ）、又は携帯電話等が挙げられる。
【００２４】
このように、コンテンツの種類及び流通形態は多種多様であり、非常に複雑化している。そのため、ユーザは、所望のコンテンツを視聴するために、当該コンテンツに関連するコンテンツ情報を検索しなくてはならない。逆に、コンテンツホルダは、適切なコンテンツ情報をユーザに提供して、自身の提供するコンテンツにユーザを引き付けることが重要である。なお、上記のコンテンツ情報はコンテンツに付加されるメタデータ（例えば上述のコンテンツ情報）によって管理される。例えば、このメタデータには、コンテンツの内容又は製作者等に関連する各種情報が含まれているだけでなく、ユーザがキーワード検索を実行した際に当該コンテンツが検索結果に表示されるようにする任意のキーワードが含まれている場合もある。このメタデータは、それ自体が交換される場合もあるし、コンテンツの録画時に付帯情報として記録される場合もある。さらに、このメタデータをコンテンツ事業者間で取引するなどして２次利用することも可能である。そのため、メタデータの作成又は流通に関連する取引システムの構築技術及び運用技術の発展には大きな期待が寄せられている。
【００２５】
本実施形態に係る情報提供システムは、こうした状況に鑑みて考案されたものであり、以下で詳細に説明するように、２種類のキーワードをコンテンツに付帯させ、これらのキーワードを適切に組み合わせて利用することにより、ユーザの嗜好に応じて効果的な広告情報を提供することが可能になる。その結果、現在の情報提供技術を単に組み合わせて用いたとしても解決が困難であった上記の各課題を解決することができる。
【００２６】
［情報提供システム４００の機能構成］
ここで、図１及び図２を参照しながら、本実施形態に係る情報提供システム４００の機能構成について詳細に説明する。なお、図１は、本実施形態に係る情報提供システム４００の機能構成を示す説明図である。また、図２は、本実施形態に係る情報提供システム４００の機能構成をより詳細に示す説明図である。但し、図１及び図２には、説明の都合上、情報提供システム４００に関係する他の構成要素を含む全体システム１０００が示されている。
【００２７】
図１を参照すると、全体システム１０００は、主に、コンテンツホルダ（放送局）１００と、スポンサー（広告、物販、ＶＯＤ／衛星放送）２００と、ユーザ３００と、情報提供システム（放送キーワードプラットフォーム）４００とにより構成される。
【００２８】
（コンテンツホルダ１００）
図１に示すように、コンテンツホルダ１００は、例えば、テレビ番組を放送する放送局等である。他の例として、コンテンツホルダ１００は、デジタル放送、衛星放送、ＣＡＴＶ、又は通信ＶＯＤ等のＩＰＴＶサービス等を提供するコンテンツ提供者である。つまり、コンテンツホルダ１００は、例えば、放送番組、映画、又は音楽等のユーザが視聴可能なコンテンツを配信する配信主体である。もちろん、コンテンツホルダ１００は、図示しないコンテンツ配信用の端末装置（コンテンツホルダ端末）を通じてコンテンツを配信することができる。
【００２９】
（スポンサー２００）
図１に示すように、スポンサー２００は、例えば、広告情報、物販情報、又は番組情報等を視聴者に提供する情報提供主体である。スポンサー２００は、例えば、各種スポンサーが販売する商品やサービス等の商品紹介に関する広告情報を提供する。他の例として、スポンサー２００は、ＤＶＤやＣＤのパッケージ、書籍、又はチケット等の物品を販売する販売主体であり、これらの販売に関する広告情報を提供する。さらに、スポンサー２００は、ＶＯＤ／衛星放送等により番組を提供する放送事業者であってもよく、この場合には、視聴者に対して番組等に関する広告情報を提供する。もちろん、スポンサー２００は、図示しない広告情報提供用の端末装置（スポンサー端末）を通じて広告情報を提供する。また、図２に示すように、スポンサー２００は、これらの広告情報が格納された広告データベース（ＤＢ；Ｄａｔａ  Ｂａｓｅ）２０２を有している。
【００３０】
（ユーザ３００）
図１に示したユーザ３００は、コンテンツを視聴する視聴者である。もちろん、ユーザ３００は、コンテンツを視聴するための端末装置（ユーザ端末）を利用してコンテンツを視聴する。そのため、以下ではユーザ３００と表記したとしても、ユーザ用の端末装置を示す場合もある。ユーザ３００の視聴端末は、例えば、テレビ、ＰＣ、又は携帯情報端末等のコンテンツが視聴できる視聴端末である。当該視聴端末には、コンテンツが再生されると共に関連するメニューが表示される。このメニューとして、例えば、コンテンツ情報提供サービスの画面が表示される。デジタルテレビの場合を例に挙げると、このメニューは、リモートコントローラ（以下、リモコン）により操作される。あるテレビのリモコンは、例えば、上下左右ボタンと４つの色キーとにより構成される。もちろん、汎用ゲーム機のコントローラやＰＣのキーボード等のように、より多くのキーを有するリモコンであってもよい。なお、色キーは、視覚的に指定する対象を理解することができるので非常に便利である。そのため、リモコンには色キーを採用することが望まれる。当該色キーを用いると、１つのキー操作（１アクション）でボタンを選択することが可能になり、大変便利である。これまでは、フォーカスを移動させた上で実行キーを操作する必要があった。
【００３１】
（情報提供システム４００）
図１及び図２に示すように、情報提供システム４００は、主に、情報登録装置（コンテンツ情報登録）４２０と、広告登録装置（オークション登録）４４０と、情報提供装置（コンテンツ情報提供）４６０とにより構成される。
【００３２】
（情報提供装置４６０）
まず、情報提供装置４６０は、例えば、視聴者に提供されるコンテンツに関連する情報を検索するための表キーワードと当該表キーワードに関連付けられる裏キーワードとを利用して視聴者に広告情報を提供する。つまり、情報提供装置４６０は、コンテンツ情報と共に広告情報を視聴者に提供する。より詳細に述べると、情報提供装置４６０は、図示しないが、主に、表示制御部と、広告提供部と、により構成される。表示制御部は、表キーワードと共に当該表キーワードを選択するためのキーワードボタンをユーザ端末に表示させる。広告提供部は、キーワードボタンにより選択された表キーワードをユーザ端末から受信し、当該表キーワードに関連付けて登録された裏キーワードに応じて、後述する広告登録装置４４０が備える広告選別部により選別された広告情報をユーザ端末に提供する。さらに、情報提供装置４６０は、コンテンツ情報提供サービスをユーザ３００に対して提供する。このコンテンツ情報提供サービスは、コンテンツ情報をユーザに提供するためのサービスであるが、複数のコンテンツホルダ１００のコンテンツ情報提供サービスを束ねて提供する場合もある。例えば、情報提供装置４６０を利用するコンテンツホルダ１００が放送事業者の場合、テレビで受信可能な全ての放送局のチャンネルを束ねてユーザ３００に提供することもできる。
【００３３】
（広告登録装置４４０）
次いで、広告登録装置４４０は、例えば、オークション取引を通じて裏キーワードに関連付ける広告情報を決定する。より詳細に述べると、広告登録装置４４０は、図示しないが、主に、広告選別部と、広告登録部と、により構成される。広告選別部は、広告情報を提供するスポンサー端末から取得した裏キーワード毎の入札情報に基づいて、当該裏キーワードに関連付ける広告情報を選別する。広告登録部は、広告選別部により選別された広告情報を登録する。ここで、上記のオークション取引について説明する。まず、広告登録装置４４０は、コンテンツホルダ１００からコンテンツ情報及びそのコンテンツ情報に関連付けられた裏キーワードの登録を受け付ける。次に、広告登録装置４４０は、受け付けたコンテンツ情報及び裏キーワードをスポンサー２００に対して提供する。このとき、広告登録装置４４０は、コンテンツ情報及び裏キーワードが登録された時点、又は所定の時点において、当該裏キーワードに対するスポンサー２００の入札を開始する。つまり、広告登録装置４４０は、コンテンツ情報を参照情報として、これに関連付けられた裏キーワードを入札対象とするオークション取引を開始するのである。スポンサー２００は、自己の広告戦略上、効果が期待できそうなコンテンツ情報及び裏キーワードを選択して、裏キーワードに対して入札金額を登録する。オークション取引を開始して所定期間が経過した後、広告登録装置４４０は、当該裏キーワードに対するオークション取引を終了して入札結果を確定させる。この確定結果を受け、コンテンツホルダ１００は、裏キーワードに入札したスポンサー２００を確認し、裏キーワードに関連付ける広告情報を選別する。つまり、コンテンツホルダ１００が採用するスポンサー２００を決定する。裏キーワード毎にスポンサー２００が決定した後、広告登録装置４４０は、各裏キーワードに関連付けされる広告情報を提示したスポンサー２００に対して落札結果を報告する。
【００３４】
（情報登録装置４２０）
次いで、情報登録装置４２０は、例えば、コンテンツに対して表キーワードと裏キーワードとを関連付ける。より詳細に述べると、情報登録装置４２０は、図示しないが、主に、表キーワード登録部と、裏キーワード登録部と、広告情報登録部と、により構成される。表キーワード登録部は、コンテンツに関連付ける表キーワードを登録する。裏キーワード登録部は、表キーワードに関連付ける裏キーワードを登録する。広告情報登録部は、広告登録装置により登録された広告情報を取得して裏キーワードに関連付ける。また、情報登録装置４２０は、コンテンツホルダ１００がコンテンツ情報を登録するコンテンツ情報登録サービスを提供する。そのため、情報登録装置４２０は、コンテンツ情報データベース及びコンテンツ登録アプリケーションを備えていてもよい。
【００３５】
（全体システム１０００における情報提供方法）
ここで、図２を参照しながら、全体システム１０００における情報提供方法について簡単に説明する。まず、コンテンツホルダ１００は、提供するコンテンツの内容に関する説明等を記したコンテンツ情報を作成する。このとき、コンテンツ情報は、例えば、そのコンテンツのタイトル、概要、キャスト、ジャンル、キーワード、放送日時、放送時間、又はチャンネル番号等の情報を含むように構成される。さらに、コンテンツホルダ１００は、コンテンツ情報を作成する際に２種類のキーワードを設定する。まず、コンテンツホルダ１００は、ユーザ３００が端末装置を介してコンテンツ情報を検索する際に検索対象として利用される表キーワードを設定する。
【００３６】
なお、この表キーワードは、ユーザ３００がコンテンツの視聴に利用する端末装置にそのまま表示されてもよい。例えば、表キーワードは、ユーザ３００が操作する端末装置の表示画面にコンテンツ情報と一緒に表示される。また、当該コンテンツの視聴に利用される端末装置に表示された表キーワードをユーザ３００が指定することにより、ユーザ３００の嗜好に応じた広告情報が提供される。当該指定は、例えば、マウスポインタにより表キーワードに対応するキーワードボタンを指定し、マウスのボタンをクリックする等の行為により実現される。もちろん、各端末装置を操作することが可能な操作装置（例えばリモコン等）に付属のボタンを用いてキーワードボタンを指定することも可能であるし、端末装置の形態に応じた他の操作装置を利用してもよい。
【００３７】
また、端末装置に表示される広告情報は１つであっても複数であってもよい。例えば、端末装置の表示エリアに応じて、表示される広告情報の数が制限されてもよい。その際、広告情報の中で優先度の高い広告情報から順に表示されてもよい。また、複数の広告情報をリスト形式で表示することも可能である。つまり、広告情報の概要をリストにして表示し、そのリストの項目が選択された場合に、選択された広告情報の詳細を表示するようにしてもよい。逆に、広告情報を順番に表示していくことも可能である。例えば、優先度の高い広告情報から順番に表示されるようにしてもよい。このように、広告情報を確認した後、ユーザ３００は、広告情報を表示する前に視聴していた放送等のコンテンツに表示を戻すことができる。端末装置には、このユーザ３００の操作に利用される「次へ」又は「前へ」といった操作ボタンが表示されていてもよい。また、全体のページ数内における現在のページ位置を示す表示（例えば、４／７等）や残りページ数等が表示されてもよい。こうした構成により、ユーザ３００は、操作ボタンを操作して容易に表示画面を切り替えることができる。
【００３８】
なお、上記のようなユーザ３００による広告情報の表示操作は、情報提供システム４００内に設置された図示しない記憶部に履歴情報として保存される。この履歴情報は、ユーザ３００毎に管理されている。例えば、情報提供システム４００は、ユーザ３００が複数の端末装置を利用していたとしても、端末装置を利用する際に行うユーザ認証によって個々のユーザ３００を特定し、ユーザ３００毎の広告表示操作に対する履歴情報を蓄積することが可能である。また、情報提供システム４００は、蓄積された履歴情報を統計処理し、各コンテンツに対する視聴度数や各広告情報に対する表示頻度等の情報をコンテンツホルダ１００又はスポンサー２００に報告する。その結果、コンテンツに関連付けるキーワードの種類やキーワードに関連付ける広告情報の種類等に関する評価情報を明確にすることができる。
【００３９】
また、情報提供システム４００は、ユーザの嗜好情報と裏キーワードとに基づいて広告データベース２０２に記録された広告情報を検索する。そして、情報提供システム４００は、抽出された広告情報をユーザ３００に対して提供する。その結果、ユーザ３００には、ユーザ３００の嗜好に近い広告情報が提供される。もちろん、この広告情報は、コンテンツホルダ１００の意向に沿ったものである。
【００４０】
既に述べたように、コンテンツホルダ１００は、コンテンツ情報、表キーワード、及び裏キーワードを作成する。このとき、コンテンツホルダ１００は、表キーワードに対して設定する複数の裏キーワードを作成することも可能である。そして、コンテンツホルダ１００は、情報登録装置４２０を介して、あるコンテンツに対してコンテンツ情報、表キーワード、及び裏キーワードを設定した後、広告登録装置４４０にコンテンツ情報及び裏キーワードを伝送し、オークション取引を開始するための設定をする。スポンサー２００は、広告登録装置４４０にアクセスして自己の広告戦略に合致するコンテンツ情報及びこれに関連付けられた裏キーワードを検索し、所望の裏キーワードを選択する。その後、コンテンツホルダ１００は、広告登録装置４４０に登録したコンテンツ情報及びこれに関連付けられた裏キーワードの登録期間が終了した段階で、当該コンテンツ情報及び裏キーワードを選択したスポンサー２００を確認する。そして、コンテンツホルダ１００とスポンサー２００との間で広告情報の掲載に関する取引又は契約を実行する。
【００４１】
以上、全体システム１０００における情報提供方法の処理フローについて簡単に説明した。上記の各機能は、情報提供システム４００の各構成要素により実現される。その際、各構成要素は、それぞれ表キーワード、裏キーワード、コンテンツ情報、又はコンテンツ自体を相互に共有又は逐次的に送受信することによって各々の処理を実行する。その結果、ユーザ３００にとっては、コンテンツを視聴するための端末装置において、コンテンツ情報に関連する広告情報を閲覧することが可能になる。また、この広告情報を簡単なリモコン操作により閲覧することができる。さらに、広告情報を単に閲覧するだけでなく、広告情報が物販に関する場合には表示されている商品の購入が可能になったり、広告情報が新作映画の紹介である場合にはＤＶＤの購入ができたりする。また、広告情報が有料放送の紹介であれば、有料チャンネルの購入又は予約をすることが可能になる。このように、上記の情報提供システム４００によると、ユーザ３００の利便性を向上させることができる。一方で、コンテンツホルダ１００にとっては、コンテンツ情報に付与するキーワードをスポンサー２００に販売することによって広告料の収入を期待することができる。また、コンテンツホルダ１００は、コンテンツに関連して提供される広告情報を自身の意向に従って制御することが可能になる。さらに、ユーザ３００の視聴状況を統計的に処理することによって広告効果を確認することができる。もちろん、スポンサー２００にとっても、標的にするユーザ３００を明確にして広告情報を提供することが可能である上、その広告効果を確認することができる。
【００４２】
［ＥＣＧサービスの概要］
ここまで、全体システム１０００に含まれる情報提供システム４００の機能構成について簡単に説明してきた。この中で、ユーザ３００に対して直接提示され、ユーザ３００が視聴しているコンテンツに関連する情報を検索する際に利用される表キーワードと、この表キーワードに関連付けられ、ユーザ３００には提示されない裏キーワードと、の２種類のキーワードについて説明した。このように、２種類のキーワードを利用して広告情報等の情報を提供するサービスを電子コンテンツ案内（ＥＣＧ；Ｅｌｅｃｔｒｏｎｉｃ  Ｃｏｎｔｅｎｔ  Ｇｕｉｄｅ）サービスと呼ぶことがある。そこで、このＥＣＧサービスに関連するサービスについて、図３を参照しながら、簡単にその概要を説明する。
【００４３】
図３を参照すると、全体システム１０００は、サービス提供者側と利用者側とに大きく区分されている。サービス提供者側は、主に、コンテンツホルダ１００と、スポンサー２００と、情報提供システム４００とにより構成されている。一方で、利用者側は、ユーザ３００により構成される。そして、サービス提供者側からは、利用者側に対して映像又は音声等のコンテンツサービスが提供されると共に、提供されるコンテンツに関するコンテンツ情報及びＥＣＧサービスが提供される。その結果、利用者側では、所定の端末装置を利用してコンテンツを視聴すると同時に、コンテンツに関連する情報を容易に検索することが可能になっている。
【００４４】
まず、利用者側について説明する。図３を参照すると、利用者側では、コンテンツの視聴に利用する端末装置として放送受信端末３０２を備えている。放送受信端末３０２は、例えば、テレビ受像機等の放送端末、ＣＡＴＶ、ＰＶＲ（Ｐｅｒｓｏｎａｌ  Ｖｉｄｅｏ  Ｒｅｃｏｒｄｅｒ）、ＦＴＴＨ（Ｆｉｂｅｒ  Ｔｏ  Ｔｈｅ  Ｈｏｍｅ）、ＰＣ、又は携帯電話等に対応しており、映像又は音声の再生、ＥＣＧサービスの受信、コンテンツ情報の操作、又はコンテンツ関連情報の閲覧等が可能である。
【００４５】
次に、サービス提供者側について説明する。図３を参照すると、サービス提供者側に含まれるコンテンツホルダ１００は、例えば、放送局、及び衛星放送局等であり、スポンサー２００は、例えば、他のコンテンツホルダ、物販会社、及び広告会社等である。さらに、サービス提供者側において、広告登録装置４４０の役割を果たすのがキーワード・オークションサービス会社であり、情報提供装置４６０の役割を果たすのがＥＣＧサービス会社である。
【００４６】
放送局１００は、放送・ＥＰＧ（Ｅｌｅｃｔｒｏｎｉｃ  Ｐｒｏｇｒａｍ  Ｇｕｉｄｅ）・ＥＣＧサービスを提供するために、映像・音声サービス、番組情報、及びこれらのコンテンツに関連付けする関連情報等を製作する。また、衛星放送局１００は、ＥＰＧ・ＥＣＧサービスに利用するメタデータの製作を行う委託放送事業者と、放送・ＥＰＧ・ＥＣＧサービスを提供する受託放送事業者と、を利用して映像・音声サービス、番組情報、及びこれらのコンテンツに関連付けする関連情報等を製作する。その後、放送局１００及び衛星放送局１００は、製作したコンテンツ及びそのコンテンツに関連する情報をコンテンツ提供サービス会社１０２に伝送する。コンテンツ提供サービス会社１０２は、映像・音声等のコンテンツを利用者側に配信するサービスを提供する。
【００４７】
スポンサー２００は、例えば、他のコンテンツホルダ、物販会社、又は広告会社等である。スポンサー２００は、裏キーワードに関連付ける広告情報を作成する。スポンサー２００がコンテンツホルダであれば、広告情報として、提供するコンテンツに関係するコンテンツ情報を作成する。また、スポンサー２００が物販会社であれば、広告情報として、販売する物品に関連する物販情報を作成する。さらに、スポンサー２００が広告会社であれば、自己が提供しようとする広告情報を作成する。その後、スポンサー２００は、キーワード・オークションサービス会社４４０に対して作成した広告情報を伝達する。このキーワード・オークションサービス会社４４０は、広告登録装置４４０の機能を実現する具体的手段の一例である。
【００４８】
キーワード・オークションサービス会社４４０は、キーワードを対象物品とするオークション取引を実行し、キーワードに関連付ける広告情報を選別する。例えば、あるスポンサー２００は、キーワード・オークションサービス会社４４０が公募している１つの裏キーワードに対して、関連付けを希望する広告情報と入札金額とを提示して入札する。キーワード・オークションサービス会社４４０は、所定の期間、当該裏キーワードについて公募を募った後に入札を締め切って、入札したスポンサー２００の情報を統計処理する。例えば、キーワード・オークションサービス会社４４０は、ある裏キーワードに対して、入札金額に基づいたランキング情報を作成する。例えば、ランキング情報には、入札対象の裏キーワードと、入札したスポンサー２００の名称と、各スポンサー２００の入札金額とが記載され、入札金額が大きい順に並べられている。このランキング情報に基づいて、その裏キーワードに関連付ける広告情報が選択される、なお、キーワード・オークションサービス会社４４０が入札公募するコンテンツ情報又は裏キーワードは、コンテンツホルダ１００により作成されたものであってもよく、例えば、コンテンツ提供サービス会社１０２を介して提供されてもよい。
【００４９】
このように、各裏キーワードに関連付ける広告情報が選択されると、この裏キーワードと広告情報との関連付けに関する関連付け情報は、コンテンツ提供サービス会社１０２又はＥＣＧサービス会社４６０に伝達される。このＥＣＧサービス会社４６０は、情報提供装置４６０の機能を実現する具体例であり、ＥＣＧサービスを提供する番組にコンテンツを関連付ける。ＥＣＧサービスに用いるコンテンツ情報は、コンテンツホルダ１００により提供される。そして、ＥＣＧサービス会社４６０は、コンテンツ情報を利用者側に配信すると共にＥＣＧサービスを提供する。このとき、ＥＣＧサービスには、上記の関連付け情報に基づく広告情報の提供が含まれる。
【００５０】
以上、具体的な例を挙げてＥＣＧサービスの提供に関するフローについて説明した。図３に例示した構成は、あくまでも一例であり、多様な構成が可能である。また、読者の理解を容易にするため、ある会社組織を構成要素として記載したが、これはモデルであって、実際には、このようなフローが前述の情報登録装置４２０、広告登録装置４４０、及び情報提供装置４６０によって実現される。そのため、対応関係を明確になるように同一の符号を付して説明した。
【００５１】
［放送受信端末３０２の構成］
次に、図４を参照しながら、放送受信端末３０２の構成について簡単に説明する。図４は、放送受信端末３０２の構成を示す説明図である。
【００５２】
図４を参照すると、放送受信端末３０２は、例えば、放送端末、ＳＴＢ（Ｓｅｔ  Ｔｏｐ  Ｂｏｘ）、ＣＡＴＶ、ＦＤＤＨ端末、ＰＶＲ、ＰＣ、携帯電話、又はＰＤＡ等である。また、放送端末には、例えば、テレビ端末、携帯端末、又は移動体端末等も含まれる。さらに、放送端末、ＳＴＢ、ＣＡＴＶ、ＦＤＤＨ端末、ＰＶＲには、リモコンが付属しており、各装置を操作することができる。また、当然のことながら、ＰＣには、キーボード及びマウスが付属しており、ＰＣの操作を行うことができる。放送受信端末３０２は、通信網６０２に接続されていてもよい。通信網６０２としては、例えば、光ファイバ、ＡＤＳＬ、衛星通信、又は電話線回線等である。従って、放送受信端末３０２は、通信網６０２を介してインターネット又はイントラネット等のネットワークに接続されており、当該ネットワーク上にあるサーバ装置から、コンテンツ情報等を受信することが可能である。
【００５３】
さらに、放送受信端末３０２は、コンテンツ又はコンテンツ情報を配信する情報配信装置６０４に接続されている。例えば、情報配信装置６０４は、地上波アナログ放送、地上波デジタル放送、ＢＳアナログ放送、ＢＳデジタル放送、１２４・１２８度ＣＳ放送、又は１１０度ＣＳ放送等の放送番組又は番組情報を提供する機器であってもよい。また、情報配信装置６０４は、例えば、ＣＡＴＶデジタル又はＣＡＴＶアナログ等の放送番組又は番組情報を提供する機器であってもよい。さらに、情報配信装置６０４は、例えば、光ファイバ通信を介してコンテンツ又はコンテンツ情報を配信する機器であってもよい。そして、放送受信端末３０２は、情報配信装置６０４の形態に応じた形式を以て接続されている。
【００５４】
以上説明した通り、放送受信端末３０２には様々な形態が許容されており、受信するコンテンツの種類、及びその配信形式には特別な制限がない。なお、放送受信端末３０２は、ユーザ端末の一例であり、ユーザ３００は、当該ユーザ端末を利用してＥＣＧサービスを享受することができる。
【００５５】
［情報配信装置６０４の構成］
次に、図５及び図６を参照しながら、情報配信装置６０４の構成について、より詳細に説明する。図５及び図６は、情報配信装置６０４の機能構成を示す説明図である。
【００５６】
まず、図５を参照すると、情報配信装置６０４の一例として、アナログ放送、デジタル放送、又はＣＡＴＶ放送の放送番組又は番組情報等を配信することが可能な機器構成が示されている。この情報配信装置６０４は、編成システムによって番組を編成し、映像・音声ストリーム生成・送出システムによって映像ストリーム及び音声ストリームを生成する。さらに、情報配信装置６０４は、データ放送制作・送出システムによって放送に関するデータを制作し、ＥＰＧ生成・送出システムによってＥＰＧ情報を生成する。その後、情報配信装置６０４は、生成された映像・音声ストリーム、放送データ、及びＥＰＧ情報を放送用アンテナ６０６を介して放送受信端末３０２に送信する。
【００５７】
次に、図６を参照すると、情報配信装置６０４の一例として、ＡＤＳＬ、ＣＡＴＶ、ＦＴＴＨ、又はインターネット等を介してコンテンツ及びコンテンツ情報を配信する装置の構成が示されている。この情報配信装置６０４は、編成システムによって番組を編成し、映像・音声ストリーム生成・ネットシステムによって映像ストリーム及び音声ストリームを生成する。さらに、情報配信装置６０４は、データ放送制作・ネットシステムによって放送に関するデータを制作し、ＥＰＧ生成・ネットシステムによってＥＰＧ情報を生成する。その後、情報配信装置６０４は、生成された映像・音声ストリーム、放送データ、及びＥＰＧ情報を通信網６０２を介して放送受信端末３０２に送信する。
【００５８】
［放送受信端末３０２の詳細な構成］
次に、図７を参照しながら、放送受信端末３０２の構成について、より詳細に説明する。図７は、放送受信端末３０２の機能構成を示す説明図である。
【００５９】
図７を参照すると、放送受信端末３０２は、主に、放送受信部３０４と、表示・再生部３０６と、放送処理部３１０と、嗜好情報管理部３２０と、コンテンツ情報サービスソフトウェア部３４０と、通信制御部３０８と、により構成される。
【００６０】
放送受信部３０４は、例えば、放送用のアンテナ６０６を通じて番組コンテンツ及び番組情報等を受信する。表示・再生部３０６は、例えば、放送受信部３０４を介して受信した番組コンテンツ又は番組情報等、又はその他の通信経路を通じて受信したコンテンツ又はコンテンツ情報等を表示する。通信制御部３０８は、例えば、インターネット等の通信網６０２を介してコンテンツ、コンテンツ情報、又はその他の情報を受信する。
【００６１】
（放送処理部３１０）
図７に示すように、放送処理部３１０は、主に、映像・音声ストリーム受信・再生機能部３１２と、データ放送受信・再生機能部３１４と、ＥＰＧ受信・制御機能部３１６と、により構成される。映像・音声ストリーム受信・再生機能部３１２は、例えば、映像ストリーム及び音声ストリーム等の映像情報を受信して当該映像情報を再生する機能を実現する。また、データ放送受信・再生機能部３１４は、例えば、データ放送の放送データを受信して当該放送データを再生する機能を実現する。ＥＰＧ受信・制御部３１６は、例えば、番組表データ等のＥＰＧデータを受信して当該ＥＰＧデータを制御する機能を実現する。なお、放送処理部３１０の各構成要素間は、例えば、各種の情報を通信可能に構成されていてもよく、さらには、各構成要素が保持する情報を他の構成要素が容易に利用可能に構成されていてもよい。
【００６２】
（嗜好情報管理部３２０）
図７に示すように、嗜好情報管理部３２０は、主に、ユーザプロファイル・操作履歴編集機能部３２２と、嗜好分析エンジン部３２４と、周辺機器制御部３２６と、メディア制御部３２８と、記憶メディア３３６と、により構成される。なお、嗜好情報管理部３２０は、例えば、リモコン等の操作装置３６４に接続されており、嗜好情報管理部３２０が備える各構成要素の動作を当該操作装置３６４によって制御することが可能である。操作装置３６４としては、例えば、リモコン、キーボード、マウス、タッチパネル、携帯電話、ＰＤＡ、又はその他の携帯情報端末等であってもよい。なお、嗜好情報管理部３２０の各構成要素間は、例えば、各種の情報を通信可能に構成されていてもよく、さらには、各構成要素が保持する情報を他の構成要素が容易に利用可能に構成されていてもよい。
【００６３】
ユーザプロファイル・操作履歴編集機能部３２２は、例えば、ユーザプロファイルや操作履歴等のユーザに関連する情報を編集する機能を実現する。嗜好分析エンジン部３２４は、例えば、ユーザプロファイル・操作履歴編集機能部３２２により取得されたユーザプロファイル又は操作履歴等の情報を利用してユーザの嗜好を分析し、ユーザ毎の嗜好情報を生成する機能を実現する。メディア制御部３２８は、例えば、記憶メディア３３６の記録機能を制御し、記憶メディア３３６に対して各種の情報を入出力する機能を実現する。さらに、メディア制御部３２８は、例えば、外部に接続された記憶装置、再生装置、印刷装置、通信装置、ディスク読み取り装置、又はリモコン等の周辺装置３６２の動作を制御したり、逆に、周辺装置３６２から受信した制御命令を読み取って嗜好情報管理部３２０の各構成要素の動作を制御してもよい。記憶メディア３３６は、例えば、ユーザ操作履歴ファイル、及びユーザプロファイル等の情報を記憶する。
【００６４】
（コンテンツ情報サービスソフトウェア部３４０）
図７に示すように、コンテンツ情報サービスソフトウェア部３４０は、主に、コンテンツ取得指示機能部３４２と、コンテンツ情報閲覧機能部３４４と、コンテンツ情報送受信機能部３４６と、コンテンツ制御機能部３４８と、により構成される。なお、コンテンツ情報サービスソフトウェア部３４０の各構成要素間は、例えば、各種の情報を通信可能に構成されていてもよく、さらには、各構成要素が保持する情報を他の構成要素が容易に利用可能に構成されていてもよい。
【００６５】
コンテンツ取得指示機能部３４２は、例えば、通信制御部３０８に対して視聴するコンテンツ又はコンテンツ情報を取得するように指示する。コンテンツ情報閲覧機能部３４４は、例えば、コンテンツ情報を閲覧する機能を実現する。コンテンツ情報送受信機能部３４６は、例えば、通信制御部３０８を介して通信網６０２から受信したコンテンツ又はコンテンツ情報を受信したり、通信制御部３０８を介してコンテンツ、コンテンツ情報、又はその他の関連情報を送信する機能を実現する。コンテンツ制御機能部３４８は、例えば、コンテンツ又はコンテンツ情報の記録、再生、送信、受信、又は編集等の機能を制御する。
【００６６】
以上説明した通り、放送受信端末３０２は、例えば、コンテンツ又はコンテンツ情報等を情報配信装置６０４等のコンテンツ配信端末から受信して再生することができると共に、ユーザプロファイル毎に再生されたコンテンツの種類や操作履歴等のユーザ情報を蓄積し、当該ユーザ情報を分析又は解析して得られる嗜好情報を管理することが可能である。なお、この嗜好情報は、例えば、通信網６０２を介して他のユーザ端末、スポンサー端末２００、コンテンツホルダ端末１００等に送信されてもよい。また、放送受信端末３０２の各構成要素間は、例えば、各種の情報を通信可能に構成されていてもよく、さらには、各構成要素が保持する情報を他の構成要素が容易に利用可能に構成されていてもよい。
【００６７】
［コンテンツ情報提供の概要］
次に、図８を参照しながら、情報提供装置４６０の機能構成について、より詳細に説明する。図８は、情報提供装置４６０の構成を示す説明図である。ここでは、情報提供装置４６０が実現するコンテンツ情報提供サービスの概念について簡単に説明する。
【００６８】
図８を参照すると、情報提供装置４６０は、主に、コンテンツ情報提供データベース４６２と、ユーザデータベース４６４と、を備えている。コンテンツ情報提供データベース４６２には、例えば、表キーワードが記録される。一方、ユーザデータベース４６４には、ユーザ３００の嗜好情報が記録される。情報提供装置４６０は、ユーザ３００が視聴したコンテンツの種類や広告情報の選択状況等に基づく統計的な分析により得られた嗜好情報をユーザＤＢ４６４に記録する。また、情報提供装置４６０は、各コンテンツに関連付けられた表キーワードをコンテンツ情報提供ＤＢ４６２に記録する。また、情報提供装置４６０は、スポンサー端末２００に対してユーザ３００の嗜好情報や裏キーワードを提供する。一方、スポンサー端末２００は、情報提供装置４６０から取得した嗜好情報及び裏キーワードに基づいて各種の広告情報を情報提供装置４６０に送信する。なお、当該広告情報は、スポンサー端末２００が備える各種の広告ＤＢ２０２に記録されている。
【００６９】
（コンテンツ情報提供画面）
次に、図９を参照しながら、コンテンツ情報提供サービスを実現するためにユーザ端末３００に表示されるコンテンツ情報提供画面の具体的な構成について説明する。図９は、コンテンツ情報提供サービスの画面イメージを示す説明図である。
【００７０】
図９に示すように、ユーザ端末３００には、まず、コンテンツ情報提供画面が表示される（Ｓ１０２）。コンテンツ提供画面には、例えば、あるコンテンツ情報（コンテンツ情報１）に関連付けられた表キーワード（「きれいな歯」「キーワード２」・・・「キーワード４」）が表示される。例えば、表キーワードとして「きれいな歯」を選択すると、コンテンツ情報提供画面が切り替わり、表キーワード「きれいな歯」に関連付けて登録された広告情報や当該広告情報の見出しが表示される（Ｓ１０４）。ここで、例えば、広告見出し「歯磨きの本」が選択されると、その見出しに関連付けられた広告情報が表示される（Ｓ１０６）。
【００７１】
［コンテンツ情報登録の概要］
次に、図１０を参照しながら、コンテンツ、コンテンツ情報、及び広告情報の登録処理の流れについて説明する。図１０は、コンテンツ情報の登録処理の概要を示す説明図である。
【００７２】
まず、コンテンツ登録サービスを提供する情報登録装置４２０により、コンテンツホルダ１００が作成したコンテンツ情報、表キーワード、及び裏キーワードをコンテンツ情報登録ＤＢ４０２に登録する。つまり、情報登録装置４２０は、コンテンツ情報登録ＤＢ４０２を備える。そして、情報登録装置４２０は、コンテンツ情報登録ＤＢ４０２に登録されたコンテンツ情報及び裏キーワードを広告登録装置４４０に送信する。
【００７３】
キーワードオークションサービスを提供する広告登録装置４４０は、まず、情報登録装置４２０から取得したコンテンツ情報及び裏キーワードをオークション情報登録ＤＢ４４２に登録する。その後、広告登録装置４４０は、スポンサー端末２００に対してコンテンツ情報及び裏キーワードを公開し、各裏キーワードに対してオークション取引の入札を開始する。スポンサー２００は、各種の広告ＤＢ２０２を有しており、公開されているコンテンツ情報及び裏キーワードに関連付けたいと考える広告情報を当該広告ＤＢ２０２の中から選択して入札する。入札の際、スポンサー２００は、入札対象を選択して、関連付ける広告情報と入札金額とを広告登録装置４４０に送信する。送信された入札情報は、オークション取引の終了時点までオークション情報登録ＤＢ４４２に格納される。オークション取引が終了すると、広告登録装置４４０は、入札金額の大きい順又は所定の条件に基づいて落札者を決定する。つまり、各裏キーワードに関連付けて表示される広告情報が決定される。そして、広告登録装置４４０は、裏キーワードに関連付ける広告情報に関する関連付け情報を情報登録装置４２０に送信する。
【００７４】
情報登録装置４２０は、上記の関連付け情報を取得した後、コンテンツ情報、表キーワード、裏キーワード、及び当該関連付け情報を情報提供装置４６０に送信する。コンテンツ提供サービスを提供する情報提供装置４６０は、情報登録装置４２０から取得したコンテンツ情報、表キーワード、裏キーワード、及び当該関連付け情報をコンテンツ情報提供ＤＢ４６２に登録する。そして、情報提供装置４６０は、コンテンツ情報提供ＤＢ４６２に登録された情報に基づいて、ユーザ端末３００に対するコンテンツ提供サービスを実現する。また、情報提供装置４６０は、各広告情報に対するユーザ端末３００からのアクセス頻度等を統計的に分析して統計情報を作成し、当該統計情報を情報登録装置４２０及び広告登録装置４４０にフィードバックする。これを受けて、情報登録装置４２０は、当該統計情報をコンテンツホルダ１００に提供する。一方、広告登録装置４４０は、当該統計情報をスポンサー２００に提供する。
【００７５】
以上説明した通り、情報登録装置４２０、広告登録装置４４０、及び情報提供装置４６０は、相互に協働してコンテンツ又はコンテンツ情報に関連付ける広告情報を選択し、ユーザ３００に対して提供する。
【００７６】
（コンテンツ情報登録画面）
次に、図１１を参照しながら、コンテンツ情報、表キーワード、裏キーワード、及びこれに関連付ける広告情報の登録処理の流れについて説明する。図１１は、コンテンツ情報の登録処理の概要を示す説明図である。
【００７７】
図１１を参照すると、コンテンツホルダのキーワード作成ステップＳ１１２と、スポンサーによるオークション操作ステップＳ１１４と、コンテンツホルダによるスポンサー確認ステップＳ１１６と、が模式的に描画されている。
【００７８】
コンテンツホルダのキーワード作成ステップＳ１１２において、まず、コンテンツ情報登録画面が表示される。当該コンテンツ情報登録画面には、例えば、「コンテンツ情報１」として、タイトル、概要、キャスト、ジャンルを入力するための入力項目が表示され、さらに、当該コンテンツ情報に関連付けるキーワード登録ボタンが表示されている。コンテンツホルダは、このコンテンツ情報に登録する第１のキーワードを登録する際、「キーワード１登録」と表示されたボタンを選択する。「キーワード１登録」ボタンを選択すると、キーワード１登録画面が表示され、表キーワードと、複数の裏キーワードとを入力する入力項目が現れる。ここで、コンテンツホルダは、表キーワードと、少なくとも１つの裏キーワードとを設定する。
【００７９】
次に、スポンサーによるオークション操作ステップＳ１１４において、コンテンツ選択画面が表示される。例えば、コンテンツ情報１に２つの裏キーワード（「歯ブラシ」「歯磨き粉」）が設定されており、スポンサー２００（「花玉」）が「歯ブラシ」を選択したとすると、オークション情報登録ＤＢ４４２に「歯ブラシ」と「花玉」とが関連付け候補として登録される。このとき、図示しない入札金額画面により入札金額を同時に入力可能に構成されていてもよい。その場合には、入札金額も同時に登録される。
【００８０】
次に、コンテンツホルダによるスポンサー確認ステップＳ１１６において、オークション結果画面が表示される。例えば、コンテンツ情報１に関連付けられた裏キーワード「歯ブラシ」「歯磨き粉」に対して複数の応札があったと仮定すると、図１１に示すように、入札金額等に応じて入札者名がランキング表示されるため、コンテンツホルダ１００は、応札したスポンサー２００を容易に確認することができる。
【００８１】
［入札結果報告の概要］
次に、図１２を参照しながら、入札結果の報告処理の概要について簡単に説明する。図１２は、入札結果の報告処理の概要を示す説明図である。
【００８２】
図１２に示すように、情報提供装置４６０は、ユーザ端末３００から広告情報へのアクセス統計等のユーザ情報を収集し、当該ユーザ情報を統計的に分析することによって得られるユーザ３００の嗜好情報をユーザＤＢ４６４に蓄積する。この嗜好情報は、情報提供装置４６０からコンテンツホルダ端末１００及びスポンサー端末２００に送信される。一方で、落札したスポンサー２００は、広告手数料をコンテンツホルダ１００に支払う。
【００８３】
［ユーザ画面表示］
次に、図１３を参照しながら、表キーワード等を含む画面表示の一例について説明する。図１３は、ユーザ端末３００における表示画面構成の一例を示す説明図である。
【００８４】
図１３を参照すると、ユーザ端末３００の画面構成は、例えば、表キーワード選択ボタン領域５０２と、現在コンテンツ情報表示領域５０４と、選択可能コンテンツ情報表示領域５０６と、番組表示領域５０８と、により構成される。表キーワード選択ボタン領域５０２には、例えば、色分けされ複数のキーワードボタンと、各キーワードボタンに対応する表キーワードとが表示される。例えば、リモコンに設けられたボタンを押下することにより、当該ボタンと同じ色のキーワードボタンが選択され、当該キーワードボタンに対応する表キーワードが選択される。そして、当該表キーワードに関連付けられた裏キーワードが選択され、さらに、当該裏キーワードに関連付けられた広告情報が表示される。
【００８５】
現在コンテンツ情報表示領域５０４には、その時点で番組表示領域５０８に表示されている番組コンテンツに関するコンテンツ情報が表示される。選択可能コンテンツ情報表示領域５０６には、現在コンテンツ情報表示領域５０４のコンテンツと同じ時間帯、同じジャンル、同じキャスト、又は関連する他の情報等が表示される。もちろん、所定の情報が表示されるように設定されていてもよい。
【００８６】
［ユーザ端末３００によるキーワード選択処理］
次に、図１４を参照しながら、ユーザ端末３００によりキーワードボタンが選択された場合のキーワード選択処理について説明する。図１４は、キーワード選択処理の流れを示す流れ図である。
【００８７】
まず、ユーザ３００は、コンテンツ情報に付与されている表キーワード選択する。例えば、ユーザ３００は、ユーザ端末３００の操作部であるリモコンのボタンを押下することにより、表示されているキーワードボタンに対応する表キーワードを選択する（Ｓ１２２）。次に、ユーザ３００の嗜好情報に適合した表キーワードの広告情報の候補を取得する（Ｓ１２４）。次に、表キーワードの広告候補が１つか複数かを判断する（Ｓ１２６）。表キーワードが１つの場合、ユーザの嗜好情報、及び当該表キーワードに関連付けられた裏キーワードを検索対象として広告ＤＢにアクセスし、該当する広告情報を表示する（Ｓ１３６）。その後、ユーザ３００は、リモコンボタンでテレビ視聴に戻るか、又は一覧表示に戻る（Ｓ１３８）。
【００８８】
一方、表キーワードの広告候補が複数ある場合、ユーザ端末３００から一覧表示の限界数ｎを取得する（Ｓ１２８）。そして、表キーワードの広告候補がｎ個未満かどうかを判断する（Ｓ１３０）。もし、表キーワードに対応する広告情報の候補がｎ個未満であれば、当該表キーワードに対応する広告候補を全て取り出して一覧表示する（Ｓ１３４）。このとき、ユーザ３００は、一覧表示の中から広告情報を選択することができる。その後、ユーザの嗜好情報、及び当該表キーワードに関連付けられた裏キーワードを検索対象として広告ＤＢにアクセスし、該当する広告情報を表示する（Ｓ１３６）。そして、ユーザ３００は、リモコンボタンでテレビ視聴に戻るか、又は一覧表示に戻る（Ｓ１３８）。
【００８９】
逆に、表キーワードに対応する広告情報の候補がｎ個以上であれば、当該表キーワードに対応する広告候補を所定の条件の下にｎ個取り出して一覧表示する（Ｓ１３２）。ユーザ３００は、一覧表示の中から広告情報を選択することができる。その後、ユーザの嗜好情報、及び当該表キーワードに関連付けられた裏キーワードを検索対象として広告ＤＢにアクセスし、該当する広告情報を表示する（Ｓ１３６）。そして、ユーザ３００は、リモコンボタンでテレビ視聴に戻るか、又は一覧表示に戻る（Ｓ１３８）。なお、上記の一覧表示する広告候補の数ｎは、例えば、制限数が３個、広告情報の候補が１０個の場合、ページ１：広告情報１〜３、ページ２：広告情報４〜６、ページ３：広告情報７−９、ページ４：広告情報１０が表示される。このように、上記のｎは決定される。
【００９０】
［コンテンツホルダ端末１００によるキーワード登録処理］
次に、図１５を参照しながら、コンテンツホルダ端末１００により裏キーワードをオークション取引に登録する処理の流れを説明する。図１５は、オークション取引に対するキーワード登録処理の流れを示す流れ図である。まず、コンテンツホルダ１００は、コンテンツ情報、及び裏キーワードを広告登録装置４４０に登録する（Ｓ１４２）。その後、キーワードの登録作業を終了するか否かを判断し（Ｓ１４６）、継続する場合には、登録処理を繰り返す。
【００９１】
［コンテンツホルダ端末１００による入札結果確認処理］
次に、図１６を参照しながら、コンテンツホルダ端末１００によるオークション入札結果の確認処理について簡単に説明する。図１６は、入札結果の確認処理の流れを示す流れ図である。
【００９２】
まず、登録したコンテンツ情報と表キーワードとを一覧表示する（Ｓ１５２）。次に、表キーワードを選択肢、裏キーワードを一覧表示する（Ｓ１５４）。さらに、裏キーワードに登録されているオークション取引の結果を確認する（Ｓ１５６）。その後、全ての確認が完了したならば確認処理を終了し（Ｓ１５８）、完了していなければ再び表キーワードの選択（Ｓ１５４）の処理を再実行する。
【００９３】
［スポンサー端末２００による入札情報の登録処理］
次に、図１７を参照しながら、スポンサー端末２００によるオークション取引への入札処理について簡単に説明する。図１７は、オークション取引への入札処理の流れを示す流れ図である。
【００９４】
まず、スポンサー２００は、コンテンツ情報を閲覧しながら、自己の広告情報を付加することにより効果的な広告が実現されると考える裏キーワードを選択する（Ｓ１６２）。次いで、広告料金、ジャンル、ブランド名称、ＣＭコード、タイトル、又はイメージ画像等の必要な情報を設定する（Ｓ１６４）。その後、入札情報の登録処理を終了するか（Ｓ１６６）、再びコンテンツ情報の閲覧等（Ｓ１６２）から処理を開始する。
【００９５】
＜まとめ＞
以上説明した通り、ユーザ３００に対して配信されるコンテンツには、当該コンテンツの内容に関連するコンテンツ情報の他に、表キーワードと裏キーワードとが関連付けられ、これらのキーワードにスポンサー２００の提供する広告情報を対応付けることにより、スポンサー２００及びコンテンツホルダ１００の意向に沿った効果的な広告を実現することが可能になる。これらのキーワードとコンテンツ情報との関係は、丁度、図１８のようになる。図１８は、コンテンツ情報と表及び裏キーワードとの関係を示した説明図である。つまり、図１８に示すように、コンテンツ情報には、一又は複数の表キーワードが対応付けられており、当該表キーワード毎に少なくとも１つの裏キーワードが関連付けられている。表キーワードは、ユーザ３００に直接提示されるため、ユーザ３００が思わず選択したくなるようなフレーズが設定されているのが好ましい。一方で、裏キーワードは、スポンサー２００に提供するキーワードであるから、出来るだけ多数の裏キーワードを設定しておく方が好ましい。具体的には、図１９に示す例のようなコードの記載を用いてコンテンツ情報が記述される。また、図２０に示す例のようなコードの記載を用いて広告情報が記述される。さらに、図２１に示す例のようなコードの記載を用いて物販及び商品情報が記述される。
【００９６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００９７】
【図１】本発明の一実施形態に係る全体システムの機能構成を示す説明図である。
【図２】同実施形態に係る全体システムの機能構成を示す説明図である。
【図３】同実施形態に係る全体システムの機能構成を示す説明図である。
【図４】同実施形態に係る放送受信端末の機能構成を示す説明図である。
【図５】一般的な情報配信装置の機能構成を示す説明図である。
【図６】一般的な情報配信装置の機能構成を示す説明図である。
【図７】本発明の一実施形態に係る放送受信端末の機能構成を示す説明図である。
【図８】同実施形態に係る情報提供装置の機能構成を示す説明図である。
【図９】同実施形態に係るコンテンツ情報提供画面を示す説明図である。
【図１０】同実施形態に係る情報提供システムの機能構成を示す説明図である。
【図１１】同実施形態に係る広告情報の登録処理を示す説明図である。
【図１２】同実施形態に係るコンテンツ情報提供サービスを示す説明図である。
【図１３】同実施形態に係るキーワード選択画面を示す説明図である。
【図１４】同実施形態に係るキーワード選択処理を示す流れ図である。
【図１５】同実施形態に係るキーワード登録処理を示す流れ図である。
【図１６】同実施形態に係るオークション結果の確認処理を示す説明図である。
【図１７】同実施形態に係る広告情報の登録処理を示す説明図である。
【図１８】同実施形態に係るコンテンツとキーワードとの関係を示す図である。
【図１９】同実施形態に係るコンテンツ情報の記載例である。
【図２０】同実施形態に係る広告情報の記載例である。
【図２１】同実施形態に係る物販・商品情報の記載例である。
【符号の説明】
【００９８】
１０００      全体システム
１００      コンテンツホルダ端末
２００      スポンサー
２０２      広告データベース
３００      ユーザ端末
３０２      放送受信端末
３０４      放送受信部
３０６      表示・再生部
３０８      通信制御部
３１０      放送処理部
３１２      映像・音声ストリーム受信・再生機能部
３１４      データ放送受信・再生機能部
３１６      ＥＰＧ受信・制御部
３２０      嗜好情報管理部
３２２      ユーザプロファイル・操作履歴編集機能部
３２４      嗜好分析エンジン部
３２６      周辺機器制御部
３２８      メディア制御部
３４０      コンテンツ情報サービスソフトウェア部
３４２      コンテンツ取得指示機能部
３４４      コンテンツ情報閲覧機能部
３４６      コンテンツ情報送受信機能部
３６２      周辺装置
３６４      操作装置
４００      情報提供システム
４０２      コンテンツ情報登録ＤＢ
４２０      情報登録装置
４４０      広告登録装置
４４２      オークション情報登録ＤＢ
４６０      情報提供装置
４６２      コンテンツ情報提供ＤＢ
４６４      ユーザＤＢ
５０２      表キーワード選択ボタン領域
５０４      現在コンテンツ情報表示領域
５０６      選択可能コンテンツ情報表示領域
５０８      番組表示領域
６０２      通信網
６０４      情報配信装置
６０６      放送用アンテナ
【図１】
2008123377.tif 000003
【図２】
2008123377.tif 000004
【図３】
2008123377.tif 000005
【図４】
2008123377.tif 000006
【図５】
2008123377.tif 000007
【図６】
2008123377.tif 000008
【図７】
2008123377.tif 000009
【図８】
2008123377.tif 000010
【図９】
2008123377.tif 000011
【図１０】
2008123377.tif 000012
【図１１】
2008123377.tif 000013
【図１２】
2008123377.tif 000014
【図１３】
2008123377.tif 000015
【図１４】
2008123377.tif 000016
【図１５】
2008123377.tif 000017
【図１６】
2008123377.tif 000018
【図１７】
2008123377.tif 000019
【図１８】
2008123377.tif 000020
【図１９】
2008123377.tif 000021
【図２０】
2008123377.tif 000022
【図２１】
2008123377.tif 000023